(57)【要約】      （修正有）【課題】低コストで表示性能の高い表示装置を提供する。【解決手段】高分子鎖に色素等を吸着させ、色素等の延伸方向に偏光された光を反射又は吸収する偏光機能を有する偏光層と、第１領域である音符マーク部１０２において偏光層の偏光機能を無くした第１表示板１００と、第２領域である矢印マーク部２０２において偏光層の偏光機能を無くした第２表示板２００と、延伸方向、又は、延伸方向と直交する方向に偏光方向を有する照明光を照射する光源２０（第１光源２１、第２光源２２）と、を有し、第１表示板と第２表示板は重ねて表示部１０として構成され、延伸方向と直交する方向に偏光方向を有する照明光の照射により第１領域である音符マーク部のみを表示部に表示し、延伸方向に偏光方向を有する照明光の照射により第２領域である矢印マーク部のみを表示部に表示する。【選択図】図１
2017187664.tif 000002
【特許請求の範囲】
【請求項１】
高分子鎖に色素等を吸着させ、前記色素等の延伸方向に偏光された光を反射又は吸収する偏光機能を有する偏光層と、
第１領域において前記偏光層の偏光機能を無くした第１表示板と、
第２領域において前記偏光層の偏光機能を無くした第２表示板と、
前記延伸方向、又は、前記延伸方向と直交する方向に偏光方向を有する照明光を照射する光源と、を有し、
前記第１表示板と前記第２表示板は重ねて表示部として構成され、
前記第１表示板の延伸方向に偏光方向を有する照明光の照射により前記第１領域のみを前記表示部に表示し、
前記第２表示板の延伸方向に偏光方向を有する照明光の照射により前記第２領域のみを前記表示部に表示することを特徴とする表示装置。
【請求項２】
前記第１表示板の前記第１領域と、前記第２表示板の前記第２領域とは、前記表示部として構成された場合に、一部の領域が重複していることを特徴とする請求項１に記載の表示装置。
【請求項３】
前記第１表示板又は前記第２表示板は、前記偏光層の上又は下に保護層を有することを特徴とする請求項１又は２に記載の表示装置。
【請求項４】
高分子鎖に色素等を吸着させた表示板の前記色素等の延伸方向に偏光された光を反射又は吸収する偏光機能を備えた偏光層を準備する偏光層準備工程と、
前記偏光層の所定領域にレーザ光を照射するレーザ光照射工程と、を有し、
前記レーザ光は、直線偏光又は楕円偏光であって、前記レーザ光の偏光方向を前記偏光層の前記延伸方向に対して所定の角度を付けて加工を行なうことを特徴とする表示板の製造方法。
【請求項５】
前記レーザ光照射工程は、前記表示板の所定領域の前記偏光機能を無くすように、前記レーザ光を前記所定領域に照射するものであることを特徴とする請求項４に記載の表示板の製造方法。
【発明の詳細な説明】
【技術分野】
【０００１】
本発明は、表示装置、表示板の製造方法に関する。
【背景技術】
【０００２】
従来の技術として、同一表示面上に相異なる図形等を表示切換えできる表示装置が知られている（例えば、特許文献１参照）。この表示装置は、２つの光源と、これらの各々の光源の前方に個々設けられた偏光方向が互いに直角をなす２つの光源偏光板と、これらの光源偏光板の前方に互いに重ね合わせて設けられ偏光方向が互いに直角をなすとともに表示図形あるいは文字等を切り欠いて透光部となした２つの表示偏光板よりなり、２つの光源の点灯の点灯切換により表示切換する表示切換灯として構成されている。
【０００３】
この表示装置によれば、同一表示面上に相異なる図形等を表示切換えできるものであるため、表示面のスペースが少なくてすみ、従来の同一目的の表示切換灯に比較して簡単な構成で明瞭な表示が得られるとされている。
【先行技術文献】
【特許文献】
【０００４】
【特許文献１】実公昭６１−２５００２号公報
【発明の概要】
【発明が解決しようとする課題】
【０００５】
しかし、特許文献１の表示装置は、表示偏光板の表示図形あるいは文字等を切り欠いて透光部を形成する必要がある。したがって、切り欠いた部分と切り欠かない部分との透過率が異なり、表示図形あるいは文字等のコントラストに影響して表示性能が低下するという問題があった。また、表示偏光板を切り欠く工程を要するので、コスト低減についても問題があった。
【０００６】
従って、本発明の目的は、低コストで表示性能の高い表示装置を提供することにある。
【課題を解決するための手段】
【０００７】
［１］上記目的を達成するため、高分子鎖に色素等を吸着させ、前記色素等の延伸方向に偏光された光を反射又は吸収する偏光機能を有する偏光層と、第１領域において前記偏光層の偏光機能を無くした第１表示板と、第２領域において前記偏光層の偏光機能を無くした第２表示板と、前記延伸方向、又は、前記延伸方向と直交する方向に偏光方向を有する照明光を照射する光源と、を有し、前記第１表示板と前記第２表示板は重ねて表示部として構成され、前記第１表示板の延伸方向に偏光方向を有する照明光の照射により前記第１領域のみを前記表示部に表示し、前記第２表示板の延伸方向に偏光方向を有する照明光の照射により前記第２領域のみを前記表示部に表示することを特徴とする表示装置を提供する。
【０００８】
［２］前記第１表示板の前記第１領域と、前記第２表示板の前記第２領域とは、前記表示部として構成された場合に、一部の領域が重複していることを特徴とする上記［１］に記載の表示装置であってもよい。
【０００９】
［３］また、前記第１表示板又は前記第２表示板は、前記偏光層の上又は下に保護層を有することを特徴とする上記［１］又は［２］に記載の表示装置であってもよい。
【００１０】
［４］上記目的を達成するため、高分子鎖に色素等を吸着させた表示板の前記色素等の延伸方向に偏光された光を反射又は吸収する偏光機能を備えた偏光層を準備する偏光層準備工程と、前記偏光層の所定領域にレーザ光を照射するレーザ光照射工程と、を有し、前記レーザ光は、直線偏光又は楕円偏光であって、前記レーザ光の偏光方向を前記偏光層の前記延伸方向に対して所定の角度を付けて加工を行なうことを特徴とする表示板の製造方法を提供する。
【００１１】
［５］また、前記レーザ光照射工程は、前記表示板の所定領域の前記偏光機能を無くすように、前記レーザ光を前記所定領域に照射するものであることを特徴とする上記［４］に記載の表示板の製造方法であってもよい。
【発明の効果】
【００１２】
本発明によれば、低コストで表示性能の高い表示装置を提供することが可能となる。
【図面の簡単な説明】
【００１３】
【図１】図１（ａ）は、本発明の実施の形態に係る表示装置の概略構成を示す構成図であり、図１（ｂ）は、表示装置をＡ方向から見たとき、表示部に音符マークが表示された場合の図であり、図１（ｃ）は、表示装置をＡ方向から見たとき、表示部に矢印マークが表示された場合の図である。
【図２】図２（ａ）は、第１表示板の断面図であり、図２（ｂ）は、ＰＶＡ層をＡ方向から見たときの上平面図である。
【図３】図３（ａ）は、第１表示板の上平面図であり、図３（ｂ）は、第１表示板の側面図である。
【図４】図４（ａ）は、第２表示板の上平面図であり、図４（ｂ）は、第２表示板の側面図である。
【図５】図５（ａ）は、表示部の上平面図であり、図５（ｂ）は、表示部の側面図である。
【図６】図６（ａ）〜（ｃ）は表示板の製造方法を順次示す上平面図であり、図６（ａ）は、レーザ光の偏光方向が延伸方向（矢印Ｂ方向）と平行方向に配置された場合、図６（ｂ）は、レーザ光の偏光方向が延伸方向（矢印Ｂ方向）と垂直方向に配置された場合、図６（ｃ）は、レーザ光の偏光方向が延伸方向（矢印Ｂ方向）と所定の角度θに配置された場合、のそれぞれの加工方法を示す図である。
【図７】図７（ａ）は、レーザ光照射工程における第１表示板の延伸方向とレーザ光の偏光方向の関係を示す図であり、図７（ｂ）は、レーザ光照射工程における第２表示板の延伸方向とレーザ光の偏光方向の関係を示す図である。
【発明を実施するための形態】
【００１４】
（本発明の実施の形態に係る表示装置１の構成）
図１（ａ）は、本発明の実施の形態に係る表示装置の概略構成を示す構成図であり、図１（ｂ）は、表示装置をＡ方向から見たとき、表示部に音符マークが表示された場合の図であり、図１（ｃ）は、表示装置をＡ方向から見たとき、表示部に矢印マークが表示された場合の図である。図２（ａ）は、第１表示板の断面図であり、図２（ｂ）は、ＰＶＡ層をＡ方向から見たときの上平面図である。図３（ａ）は、第１表示板の上平面図であり、図３（ｂ）は、第１表示板の側面図である。図４（ａ）は、第２表示板の上平面図であり、図４（ｂ）は、第２表示板の側面図である。また、図５（ａ）は、表示部の上平面図であり、図５（ｂ）は、表示部の側面図である。以下、これらの図に基づいて、本発明の実施の形態に係る表示装置１の構成を説明する。
【００１５】
図１（ａ）〜（ｃ）に示すように、本発明の実施の形態に係る表示装置１は、高分子鎖に色素等を吸着させ、色素等の延伸方向（矢印Ｂ方向）に偏光された光を反射又は吸収する偏光機能を有する偏光層と、第１領域である音符マーク部１０２において偏光層の偏光機能を無くした第１表示板１００と、第２領域である矢印マーク部２０２において偏光層の偏光機能を無くした第２表示板２００と、延伸方向（矢印Ｂ方向）、又は、延伸方向と直交する方向（矢印Ｃ方向）に偏光方向を有する照明光を照射する光源２０（第１光源２１、第２光源２２）と、を有し、第１表示板１００と第２表示板２００は重ねて表示部１０として構成され、第１表示板１００の延伸方向（矢印Ｂ方向）に偏光方向を有する照明光の照射により第１領域である音符マーク部１０２のみを表示部１０に表示し、第２表示板２００の延伸方向（矢印Ｃ方向）に偏光方向を有する光の照射により第２領域である矢印マーク部２０２のみを表示部１０に表示する、ように構成されている。
【００１６】
光源２０（第１光源２１、第２光源２２）は、例えば、レーザ光、ＬＥＤ光等が使用できる。光源２０（第１光源２１、第２光源２２）は、例えば、レーザ光の場合は特定の方向に偏光成分を有するように偏光方向を調整し、また、ＬＥＤ光等では特定の方向に偏光成分を有するように出射部に偏光素子を配置する。光源２０は、図１（ａ）に示すように、第１表示板１００の延伸方向（矢印Ｂ方向）に偏光方向を有する第１光源２１と、第２表示板２００の延伸方向（矢印Ｃ方向）に偏光方向を有する第２光源２２とから構成されている。第１光源２１から表示部１０に向かって第１照明光２１ａを照射して照明し、第２光源２２から表示部１０に向かって第２照明光２２ａを照射して照明する。
【００１７】
なお、光源２０が楕円偏光または円偏光の光源の場合は、例えば、光源２０の出射部に光軸に対して相対的に回転可能な偏光素子を配置し、光源２０と偏光素子を回転させることにより、第１表示板１００の延伸方向（矢印Ｂ方向）に偏光方向を有する第１照明光２１ａと、第２表示板２００の延伸方向（矢印Ｃ方向）に偏光方向を有する第２照明光２２ａを生成して、表示部１０に向かって照明光を照射して照明する構成でもよい。
【００１８】
（第１表示板１００）
第１表示板１００は、図２（ａ）に示すように、偏光機能を有する偏光層であるＰＶＡ層１０３と、ＰＶＡ層１０３の上下をそれぞれ保護する第１保護フイルム１０４と第２保護フイルム１０５から構成されている。
【００１９】
ＰＶＡ層１０３は、例えば、ＰＶＡ（ポリビニルアルコール）の厚膜を形成し、ヨウ素色素を吸着させてホウ酸架橋を行なう。乾燥、安定後に、ＰＶＡ厚膜を延伸してヨウ素色素を配向させて偏光性を発現させる。
【００２０】
図３（ａ）は、第１表示板の上平面図であり、図３（ｂ）は、第１表示板の側面図である。図３（ａ）に示すように、ヨウ素色素の配向方向は、延伸方向（矢印Ｂ方向）となる。この延伸方向（矢印Ｂ方向）に平行な偏光成分を持つ光は反射又は吸収されてＰＶＡ層１０３を透過しない。一方、延伸方向（矢印Ｂ方向）に垂直な偏光成分を持つ光は透過する。したがって、図３（ａ）に示すように、矢印Ｂ方向に延伸されたＰＶＡ層１０３は、偏光機能を有する。なお、延伸方向（矢印Ｂ方向）を吸収軸ともいう。
【００２１】
保護層としての第１保護フイルム（第１ＴＡＣ層）１０４、第２保護フイルム（第２ＴＡＣ層）１０５は、例えば、優れた光学特性を有する保護フイルムであるＴＡＣ（セルローストリアセテート）フィルムが使用される。偏光層の上又は下に保護層を有する構成であるが、保護層を有しない構成とすることもできる。
【００２２】
図３（ａ）に示すように、第１表示板１００には、例えば、音符マーク部１０２が表示されるように構成されている。この音符マーク部１０２の第１領域１０２ａは、ＰＶＡ層１０３の偏光機能を無くした領域である。第１領域１０２ａ以外のＰＶＡ層１０３は、偏光機能を有する領域である。
【００２３】
（第２表示板２００）
第２表示板２００は、第１表示板１００と同様に、偏光機能を有する偏光層であるＰＶＡ層と、ＰＶＡ層の上下をそれぞれ保護する第１保護フイルムと第２保護フイルムから構成されている。
【００２４】
ＰＶＡ層は、例えば、ＰＶＡ（ポリビニルアルコール）の厚膜を形成し、ヨウ素色素を吸着させてホウ酸架橋を行なう。乾燥、安定後に、ＰＶＡ厚膜を延伸してヨウ素色素を配向させて偏光性を発現させる。
【００２５】
図４（ａ）は、第２表示板の上平面図であり、図４（ｂ）は、第２表示板の側面図である。図４（ａ）に示すように、ヨウ素色素の配向方向は、延伸方向（矢印Ｃ方向）となる。この延伸方向（矢印Ｃ方向）に平行な偏光成分を持つ光は反射又は吸収されてＰＶＡ層を透過しない。一方、延伸方向（矢印Ｃ方向）に垂直な偏光成分を持つ光は透過する。したがって、図４（ａ）に示すように、矢印Ｃ方向に延伸されたＰＶＡ層は、偏光機能を有する。なお、延伸方向（矢印Ｃ方向）を吸収軸ともいう。
【００２６】
第１保護フイルム（第１ＴＡＣ層）、第２保護フイルム（第２ＴＡＣ層）は、第１表示板１００と同様に、例えば、優れた光学特性を有する保護フイルムであるＴＡＣ（セルローストリアセテート）フィルムが使用される。
【００２７】
図４（ａ）に示すように、第２表示板２００には、例えば、矢印マーク部２０２が表示されるように構成されている。この矢印マーク部２０２の第２領域２０２ａは、ＰＶＡ層の偏光機能を無くした領域である。第２領域２０２ａ以外のＰＶＡ層は、偏光機能を有する領域である。
【００２８】
ここで、図１（ａ）で示したように、第１表示板１００と第２表示板２００は重ねて表示部１０として構成され、このように配置された場合は、図３（ａ）と図４（ａ）からわかるように、第１表示板１００の延伸方向（矢印Ｂ方向）と第２表示板２００の延伸方向（矢印Ｃ方向）は直交する。
【００２９】
また、第１表示板１００の音符マーク部１０２と、第２表示板２００の矢印マーク部２０２は、表示部１０として構成された場合に、第１領域１０２ａと第２領域２０２ａの一部の領域が重複している。
【００３０】
図５（ａ）は、表示部の上平面図であり、図５（ｂ）は、表示部の側面図である。図５（ａ）は、第１表示板１００の音符マーク部１０２と第２表示板２００の矢印マーク部２０２を重ねて図示している。
【００３１】
第１表示板１００の延伸方向（矢印Ｂ方向）と第２表示板２００の延伸方向（矢印Ｃ方向）は直交する。また、第１領域１０２ａと第２領域２０２ａの一部の領域が重複している。この領域を重複領域３００とする。
【００３２】
図５（ａ）で示す構成において、音符マーク部１０２の第１領域１０２ａのうち、重複領域３００を除く領域において、第１表示板１００は偏光機能がないので照明光は透過し、第２表示板２００は、照明光における第１表示板１００の延伸方向（矢印Ｂ方向）の偏光成分のみが透過する。また、重複領域３００は、偏光機能がないので照明光は透過する。第１領域１０２ａ、重複領域３００を除く領域、すなわち、音符マーク部１０２以外の領域は、第１表示板１００の延伸方向（矢印Ｂ方向）の偏光成分は透過しない。これにより、表示部１０を第１表示板１００の延伸方向（矢印Ｂ方向）の偏光成分のみを有する第１照明光２１ａ（矢印Ｂ方向の直線偏光）により照射することにより、第１領域１０２ａである音符マーク部１０２のみを表示させることができる。
【００３３】
また、図５（ａ）で示す構成において、矢印マーク部２０２の第２領域２０２ａのうち、重複領域３００を除く領域において、第２表示板２００は偏光機能がないので照明光は透過し、第１表示板１００は、照明光における第２表示板２００の延伸方向（矢印Ｃ方向）の偏光成分のみが透過する。また、重複領域３００は、偏光機能がないので照明光は透過する。第２領域２０２ａ、重複領域３００を除く領域、すなわち、矢印マーク部２０２以外の領域は、第２表示板２００の延伸方向（矢印Ｃ方向）の偏光成分は透過しない。これにより、表示部１０を第２表示板２００の延伸方向（矢印Ｃ方向）の偏光成分のみを有する第２照明光２２ａ（矢印Ｃ方向の直線偏光）により照射することにより、第２領域２０２ａである矢印マーク部２０２のみを表示させることができる。
【００３４】
（表示装置１の表示動作）
（表示部１０に音符マーク部１０２を表示する場合）
図１（ａ）で示す表示装置１において、第１光源２１を点灯させ、第２光源２２を消灯させる。表示部１０は、第１表示板１００の延伸方向（矢印Ｂ方向）に偏光方向を有する第１照明光２１ａのみで照明される。前記したように、第１照明光２１ａは、音符マーク部１０２の第１領域１０２ａのうち、重複領域３００を除く領域において、第１表示板１００は偏光機能がないので照明光は透過し、第２表示板２００は、照明光における第１表示板１００の延伸方向（矢印Ｂ方向）の偏光成分のみが透過する。また、重複領域３００は、偏光機能がないので照明光は透過する。第１領域１０２ａ、重複領域３００を除く領域、すなわち、音符マーク部１０２以外の領域は、第１表示板１００の延伸方向（矢印Ｂ方向）の偏光成分は透過しない。これにより、図１（ｂ）で示すように、表示部１０において、音符マーク部１０２が表示され、それ以外の部分は表示されない。
【００３５】
（表示部１０に矢印マーク部２０２を表示する場合）
図１（ａ）で示す表示装置１において、第２光源２２を点灯させ、第１光源２１を消灯させる。表示部１０は、第２表示板２００の延伸方向（矢印Ｃ方向）に偏光方向を有する第２照明光２２ａのみで照明される。前記したように、第２照明光２２ａは、矢印マーク部２０２の第２領域２０２ａのうち、重複領域３００を除く領域において、第２表示板２００は偏光機能がないので照明光は透過し、第１表示板１００は、照明光における第２表示板２００の延伸方向（矢印Ｃ方向）の偏光成分のみが透過する。また、重複領域３００は、偏光機能がないので照明光は透過する。第２領域２０２ａ、重複領域３００を除く領域、すなわち、矢印マーク部２０２以外の領域は、第２表示板２００の延伸方向（矢印Ｃ方向）の偏光成分は透過しない。これにより、図１（ｃ）で示すように、表示部１０において、矢印マーク部２０２が表示され、それ以外の部分は表示されない。
【００３６】
（表示板の製造方法）
図６（ａ）〜（ｃ）は表示板の製造方法を順次示す上平面図であり、図６（ａ）は、レーザ光の偏光方向が延伸方向（矢印Ｂ方向）と平行方向に配置された場合、図６（ｂ）は、レーザ光の偏光方向が延伸方向（矢印Ｂ方向）と垂直方向に配置された場合、図６（ｃ）は、レーザ光の偏光方向が延伸方向（矢印Ｂ方向）と所定の角度θに配置された場合、のそれぞれの加工方法を示す図である。図７（ａ）は、レーザ光照射工程における第１表示板の延伸方向とレーザ光の偏光方向の関係を示す図であり、図７（ｂ）は、レーザ光照射工程における第２表示板の延伸方向とレーザ光の偏光方向の関係を示す図である。
【００３７】
図６（ａ）〜（ｃ）により、第１表示板１００を例にして、表示板の製造方法を説明する。
【００３８】
（偏光層準備工程）
偏光層準備工程は、高分子鎖に色素等を吸着させた表示板の前記色素等の延伸方向に偏光された光を反射又は吸収する偏光機能を備えた偏光層を準備する工程である。本発明の実施の形態では、偏光層は、上下が第１保護フイルム１０４と第２保護フイルム１０５により保護されたＰＶＡ層１０３とされ、これらを備えた第１表示板１００として準備される。偏光層は、偏光層準備工程により製造されてもよく、また、購入等により準備されてもよい。
【００３９】
（レーザ光照射工程）
レーザ光照射工程は、偏光層の所定領域にレーザ光を照射する工程である。レーザ光４００は、直線偏光又は楕円偏光とする。図２（ａ）に示したように、レーザ光４００を偏光層であるＰＶＡ層１０３の所定領域、例えば、音符マーク部１０２の第１領域１０２ａに照射する。このレーザ光４００の照射により、照射された領域のヨウ素色素や染料が昇華等により除去される。これにより、その照射された領域の偏光機能を無くすことができる。なお、図２（ａ）に示した方法以外に、直接レーザ光４００をＰＶＡ層１０３の所定領域に照射した後に、保護層（第１ＴＡＣ層、第２ＴＡＣ層）を貼り付ける方法でもよい。
【００４０】
ここで、図６（ａ）に示すように、レーザ光４００の偏光方向が延伸方向（矢印Ｂ方向）と平行方向に配置されてレーザ加工範囲を加工する場合は、ＰＶＡ層１０３におけるレーザ光４００が吸収され、レーザ光照射工程において、反応性が良い。
【００４１】
一方、図６（ｂ）に示すように、レーザ光４００の偏光方向が延伸方向（矢印Ｂ方向）と垂直方向に配置されてレーザ加工範囲を加工する場合は、ＰＶＡ層１０３におけるレーザ光４００が透過して、レーザ光照射工程において、反応性が悪い。
【００４２】
また、図６（ｃ）に示すように、レーザ光４００の偏光方向が延伸方向（矢印Ｂ方向）と所定の角度θに配置されてレーザ加工範囲を加工する場合は、角度θに応じてＰＶＡ層１０３におけるレーザ光４００が吸収され、レーザ光照射工程において、レーザ光の吸収量を制御できる。
【００４３】
なお、レーザ光照射工程で使用するレーザ加工機は、色素のピーク波長によって選択可能とする。具体的には、ＹＡＧ波長のレーザや可視光領域に波長をもつレーザによりレーザ加工を行なう。レーザ加工は、色素が昇華する熱量以上、保護フイルムが反応する熱量以下にて行なうことが好ましい。
【００４４】
（第１表示板１００のレーザ加工）
図７（ａ）は、レーザ光照射工程における第１表示板の延伸方向とレーザ光の偏光方向の関係を示す図である。レーザ光４００の偏光方向を第１表示板１００の延伸方向（矢印Ｂ方向）と平行方向に配置する。すなわち、図６（ｃ）で示した所定の角度θはゼロに設定する。この状態で、レーザ光４００を音符マーク部１０２の第１領域１０２ａ内を２次元方向に移動させて、音符マーク部１０２の色素を昇華等により除去して偏光機能を無くす。これにより、反応性が良い第１表示板１００のレーザ光照射工程が可能となる。
【００４５】
（第２表示板２００のレーザ加工）
図７（ｂ）は、レーザ光照射工程における第２表示板の延伸方向とレーザ光の偏光方向の関係を示す図である。レーザ光４００の偏光方向を第２表示板２００の延伸方向（矢印Ｃ方向）と平行方向に配置する。すなわち、図６（ｃ）で示した所定の角度θはゼロに設定する。この状態で、レーザ光４００を矢印マーク部２０２の第２領域２０２ａ内を２次元方向に移動させて、矢印マーク部２０２の色素を昇華等により除去して偏光機能を無くす。これにより、反応性が良い第２表示板２００のレーザ光照射工程が可能となる。
【００４６】
（本発明の実施の形態の効果）
本実施の形態に係る表示装置、製造方法は以下のような効果を有する。
（１）本実施の形態に係る表示装置は、高分子鎖に色素等を吸着させ、色素等の延伸方向（矢印Ｂ方向）に偏光された光を反射又は吸収する偏光機能を有する偏光層と、第１領域である音符マーク部１０２において偏光層の偏光機能を無くした第１表示板１００と、第２領域である矢印マーク部２０２において偏光層の偏光機能を無くした第２表示板２００と、延伸方向（矢印Ｂ方向）、又は、延伸方向と直交する方向（矢印Ｃ方向）に偏光方向を有する照明光を照射する光源２０（第１光源２１、第２光源２２）と、を有し、第１表示板１００と第２表示板２００は重ねて表示部１０として構成され、第１表示板１００の延伸方向（矢印Ｂ方向）に偏光方向を有する照明光の照射により第１領域である音符マーク部１０２のみを表示部１０に表示し、第２表示板２００の延伸方向（矢印Ｃ方向）に偏光方向を有する照明光の照射により第２領域である矢印マーク部２０２のみを表示部１０に表示する、ように構成する。これにより、第１光源２１、第２光源２２により異なる偏光状態の照明光を表示部１０に照射することで、表示切替えを行なうことができる。この表示切替えは、同一色、例えば、白色―白色で異なる表示の切替えが可能となる。
（２）本実施の形態に係る表示板の製造方法は、レーザ光４００は、直線偏光又は楕円偏光であって、レーザ光４００の偏光方向を偏光層の延伸方向に対して所定の角度を付けて加工を行なう。これにより、レーザ光照射工程において、レーザ光の吸収量を制御できる。また、図６（ｃ）で示した所定の角度θを設定して色素等の延伸方向にすることで、反応性が良い表示板のレーザ光照射工程が可能となる。
【００４７】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４８】
１…表示装置
１０…表示部
２０…光源
２１…第１光源
２１ａ…第１照明光
２２…第２光源
２２ａ…第２照明光
１００…第１表示板
１０２…音符マーク部
１０２ａ…第１領域
１０３…ＰＶＡ層
１０４…第１保護フイルム
１０５…第２保護フイルム
２００…第２表示板
２０２…矢印マーク部
２０２ａ…第２領域
３００…重複領域
４００…レーザ光
Ｂ…延伸方向（矢印Ｂ方向）
Ｃ…延伸方向（矢印Ｃ方向）
θ…所定の角度
【図１】
2017187664.tif 000003
【図２】
2017187664.tif 000004
【図３】
2017187664.tif 000005
【図４】
2017187664.tif 000006
【図５】
2017187664.tif 000007
【図６】
2017187664.tif 000008
【図７】
2017187664.tif 000009